(57)【要約】ベルトおよび、ベルトのマーキング方法。ポリエチレン物質の層（３０）は、ベルト（１００）に対して接合、または加硫される。層は、ベルト本体（１０）から光学的に区別可能である。層をベルト本体に対して際立たせるように、層はエッチングされ、ベルト本体の一部を露出する。ポリエチレン物質の第２の層（４０）が、第１の層に隣接して接合されても良い。第２の層は、第１の層から光学的に区別可能である。第１または第２の層は、ベルト本体や隣接する層の一部分を露出するために、カッティング、グラインディング、またはレーザー光により、エッチングされ、かくしてベルトに永久的にマーキングする方法を提供する。
2005529301.tif 000002
【特許請求の範囲】
【請求項１】
ベルト本体から光学的に区別可能である第１の熱可塑性樹脂物質を選択する工程と、
前記ベルト本体に前記第１の熱可塑性樹脂物質を接合する工程と、
前記第１の熱可塑性樹脂物質を、前記ベルト本体に対して際立たせるために、前記第１の熱可塑性樹脂物質をエッチングする工程と
を備えるベルトにマークを付す方法。
【請求項２】
前記第１の熱可塑性樹脂物質に、前記第１の熱可塑性樹脂物質から光学的に区別可能である前記第２の熱可塑性樹脂物質を接合する工程をさらに備える請求項１に記載の方法。
【請求項３】
前記第２の熱可塑性樹脂物質を、前記第１の熱可塑性樹脂物質に対して際立たせるために、前記第２の熱可塑性樹脂物質をエッチングする工程をさらに備える請求項２に記載の方法。
【請求項４】
エッチング工程は、前記第１の熱可塑性樹脂へ模様を切り入れる工程を備える請求項１に記載の方法。
【請求項５】
エッチング工程は、前記第１の熱可塑性樹脂へ模様を切り入れる工程を備える請求項３に記載の方法。
【請求項６】
前記ベルトに横断歯を形成する工程を備える請求項１に記載の方法。
【請求項７】
前記ベルトを過酸化物で加硫する工程を備える請求項１に記載の方法。
【請求項８】
エラストマー本体と、
ベルトの長手方向に沿って延びる抗張部材と、
前記エラストマー本体に接合される第１の熱可塑性樹脂層とを備え、
前記第１の熱可塑性樹脂層は、エラストマー本体と光学的に区別可能であるベルト。
【請求項９】
前記第１の熱可塑性樹脂層に隣接する第２の熱可塑性樹脂層を備え、前記第２の熱可塑性樹脂層は、前記第１の熱可塑性樹脂層から光学的に区別可能である請求項８に記載のベルト。
【請求項１０】
開口部を有する前記第１の熱可塑性樹脂層をさらに備え、それによりエラストマー本体の一部は、前記第１の熱可塑性樹脂層に対して際立たせる請求項８に記載のベルト。
【請求項１１】
前記開口部は模様である請求項１０に記載のベルト。
【請求項１２】
前記第１の熱可塑性樹脂層は、ポリエチレン、ポリプロピレン、ポリエステル、ポリアミド、ポリ塩化ビニリデン、ポリ塩化ビニル、または、これら２またはそれ以上の組み合わせから選択される請求項１０に記載のベルト。
【請求項１３】
前記エラストマー本体上に横断歯をさらに備える請求項１０に記載のベルト。
【請求項１４】
開口部を有する前記第２の熱可塑性樹脂層をさらに備え、それにより前記第２の熱可塑性樹脂層の一部は、前記第１の熱可塑性樹脂層に対して際立たせる請求項１０に記載のベルト。
【請求項１５】
前記第２の熱可塑性樹脂層は、ポリエチレン、ポリプロピレン、ポリエステル、ポリアミド、ポリ塩化ビニリデン、ポリ塩化ビニル、または、これら２またはそれ以上の組み合わせから選択される請求項１４に記載のベルト。
【請求項１６】
前記第１の熱可塑性樹脂層は、前記エラストマー本体の色と異なる色を有する請求項１２に記載のベルト。
【請求項１７】
前記第２の熱可塑性樹脂層は、前記第１の熱可塑性樹脂層の色と異なる色を有する請求項１５に記載のベルト。
【請求項１８】
前記エラストマー本体は、ＨＮＢＲ、ＥＰＤＭ、ＳＢＲ、ＣＲ、ＮＢＲ、ＮＲ、ＢＲ、またはこれら２またはそれ以上の組み合わせから選択される請求項１０に記載のベルト。
【請求項１９】
エラストマー本体と、
ベルトの長手方向に沿って延びる抗張部材と、
前記エラストマー本体に接合される熱可塑性樹脂物質とを備え、
前記熱可塑性樹脂層は前記エラストマー本体から光学的に区別可能であるベルト。
【請求項２０】
開口部をそこに有する前記熱可塑性樹脂をさらに備え、それによりエラストマー本体の一部が前記熱可塑性樹脂に対して際立つ請求項１９に記載のベルト。
【請求項２１】
前記開口部は、模様である請求項２０に記載のベルト。
【請求項２２】
前記熱可塑性樹脂は、ポリエチレン、ポリプロピレン、ポリエステル、ポリアミド、ポリ塩化ビニリデン、ポリ塩化ビニル、または、これら２またはそれ以上の組み合わせから選択される請求項２０に記載のベルト
【請求項２３】
前記エラストマー本体上に横断歯をさらに備える請求項２０に記載のベルト。
【請求項２４】
前記第１の熱可塑性樹脂は、エラストマー本体の色と異なる色を有する請求項２０に記載のベルト。
【請求項２５】
前記エラストマー本体は、ＨＮＢＲ、ＥＰＤＭ、ＳＢＲ、ＣＲ、ＮＢＲ、ＮＲ、ＢＲ、またはこれら２またはそれ以上の組み合わせから選択される請求項２０に記載のベルト。
【請求項２６】
前記熱可塑性樹脂層は、前記ベルト本体から光学的に区別可能であることを特徴とする請求項２０に記載のベルト。
【請求項２７】
エッチング工程は、前記第１の熱可塑性樹脂物質に模様を作るためにレーザー光を使用する工程を備える請求項１に記載の方法。
【請求項２８】
エッチング工程は、前記第２の熱可塑性樹脂物質に模様を作るためにレーザー光を使用する工程を備える請求項３に記載の方法。
【発明の詳細な説明】
【技術分野】
【０００１】
本発明はベルトおよびベルトに対するマーキング方法に関し、特に、光学的に区別可能である少なくとも１つのポリエチレン層を使用した、ベルトまたはベルトに対するマーキング方法に関する。
【背景技術】
【０００２】
ベルトは印をマーキングして、またはせずに製造されるであろう。印のマーキングは、ベルト上に直接刻印または印刷されるラベル、テキスト、または他の物質、またはこれらの組み合わせで成されるであろう。
【０００３】
特に、従来技術は、ベース物質に接着される未加硫着色ゴムの使用を教示する。着色ゴムは、加硫中、基礎となる物質に押し込まれる。このことはしばしば、マーキングの歪曲や、くぼみまたは隆起のような望ましくない表面の造形という結果を引き起こす。くぼみまたは隆起は、ベルト使用中の騒音を引き起こすおそれがある。また、ベルトにマークを付すために、製品の表面へのマークの焼き付けまたはエッチングで、レーザーが使用されることが知られている。
【０００４】
代表的な技術は、ベルトに対するマーキング方法を開示する日本国特許第３１２６９３７号である。
【０００５】
要求されるのは、ベルト本体から光学的に区別可能であるポリエチレン層を使用した、ベルトおよびベルトのマーキング方法である。要求されるのは、レーザー光によってエッチングされた光学的に区別可能であるポリエチレン層を使用するベルトおよびベルトのマーキング方法である。本発明は、これら要求に合致する。
【発明の開示】
【発明が解決しようとする課題】
【０００６】
本発明の主たる目的は、ベルト本体から光学的に区別可能であるポリエチレン層を使用するベルトおよびベルトのマーキング方法を提供することにある。
【０００７】
本発明に他の目的は、レーザー光によってエッチングされる光学的に区別可能なポリエチレン層を使用するベルトおよびベルトのマーキング方法を提供することにある。
【０００８】
本発明の他の目的は、以下の発明の明細書と添付図面によって指摘され、または明らかにされるであろう。
【課題を解決するための手段】
【０００９】
本発明は、ベルトおよびベルトをマーキングする方法である。ポリエチレン物質層は、ベルトに接合、すなわち加硫される。層は、ベルト本体から光学的に区別可能である。層はエッチングされ、ベルト本体に対して層を際立たせるために、ベルト本体の一部が露出する。ポリエチレン物質の第２の層が、第１の層に隣接して接合されても良い。第２の層は、第１の層から光学的に区別可能である。第１または第２の層は、隣接する層またはベルト本体の一部分が露出するために、カッティング、グラインディング、またはレーザー光を使用し、エッチングされ、これによりベルトに対して、永久的にマーキングする方法を提供する。
【発明を実施するための最良の形態】
【００１０】
図１は、光学的に区別可能なポリエチレン（ＰＥ）層を有するベルトの横断斜視図である。実例の製品は、例えば、自動車や工業用途に使用される動力伝達ベルト１００である。
【００１１】
ベルト１００は、その中に抗張部材２０が埋設されたエラストマー本体１０を備える。抗張部材２０は、長手軸に平行に延びる。抗張部材２０は、ポリエステル、ナイロン、アラミド、およびこれらの等価物を含むベルト分野で知られているいずれかの物質を備えるであろう。抗張部材２０は、ベルトの中で長手方向に延びる。
【００１２】
形状は、ベルト本体１０を横切り、ベルト本体１０の長手の表面に沿って延びる横断歯、すなわちコグ１１を有する。形状は、図３に示すように複数のリブからなる表面を有していても良い。
【００１３】
層３０は、熱可塑性樹脂物質を含む。熱可塑性樹脂の層３０は、従来知られている好適な加硫、化学的接着、または成型処理が使用されることによって、本体１０に接合される。好ましい実施形態は過酸化物による加硫処理を使用するが、熱可塑性樹脂の層３０は、従来知られている化学的接着の使用や成型によって、本体１０に接合されても良い。
【００１４】
本体１０は、例えば、水素化ニトリルブタジエンゴム（ＨＮＢＲ）、エチレン−プロピレン（ジエン）ゴム（ＥＰＤＭ）、スチレンブタジエンゴム（ＳＢＲ）、クロロプレンゴム（ＣＲ）、天然ゴム（ＮＲ）、ニトリルゴム（ＮＢＲ）、ブチルゴム（ＢＲ）、または、動力伝達ベルトに使用されるいかなる他のエラストマー物質のような、熱硬化性物質を含む。
【００１５】
ベルト本体や隣接する層から区別可能な光学的な外観やコントラストを作り出すために、層３０は有益な特性が選ばれる。ここで使用される“光学的な”とは、可視および非可視の電磁線を指す。層３０は、8.9×10-3cm〜7.6×10-2cm（3.5ミル〜30ミル）の範囲の厚さを有する。
【００１６】
層の特性には、ベルト本体１０から層３０を光学的に区別する特別な色、テクスチャー、または反射率を含むものとしても良い。外観やコントラストの相違は、反射される電磁線の相違に起因し、それで、バーコードリーダーのような光学的なスキャナー、または他のいかなるスキャナー、または可視および非可視の電磁線を検出する手段とともに、層３０は人間の目（可視的に）によってベルト本体１０から区別され得る。層３０は、いかなる光学的に検出され得る色や色の組み合わせを有していても良い。当該実施形態において、層３０は、特別に区別される特性、すなわち好ましくは黒以外の色、を有するポリエチレン（ＰＥ）を備える。限定されるわけではないが例として、層３０は実質的にポリプロピレン、ポリエステル、ポリアミド、ポリ塩化ビニリデン、ポリ塩化ビニル、およびいかなる等価物、またはこれらの組み合わせを備えていても良い。先述の物それぞれは、光学的に区別可能である。ポリエチレンの場合、層３０はエチレンプロピレンゴムに対して相溶性があり、過酸化物の加硫剤によってエチレンプロピレンゴムとともに加硫可能である。
【００１７】
ポリエチレンの使用は、従来技術の着色ゴム原料の場合のようなゴム混合工程の分離の必要性を回避するという優位な点を有する。ＰＥシート物質は、広い範囲の厚さのものが使用できる点、ゴム原料の混合に比べ比較的コストが安い点、保存および工程が容易である点、のようにさらなる優位点を有し、そして、それはたやすくリサイクル可能である。
【００１８】
図２は、レーザー光によってエッチングされる光学的に区別可能な層を有するベルトの斜視図である。本実施形態においては、層３０の下方において、層４０は成型され、ベルト本体１０に接合され、または加硫される。層４０はおよそ8.9×10-3cm〜7.6×10-2cm（3.5ミル〜30ミル）の範囲の厚さを有する。
【００１９】
ベルトが加硫または成型されると、レーザー光源６１からのレーザー光６０は、層３０の選択された一部分に、焦点が合わせられる。下方に積層する層４０を損傷せずに、層３０の選択された一部分を取り除くために、レーザー光源６１の強度および位置、すなわちレーザー光６０は、調整されまたは移動させられ、それにより層４０の一部分が露出する。レーザー光６０の強度は、いかなる層３０の厚みも突き抜けるように、調整されるであろう。層３０は層４０から光学的に区別可能であるので、これにより、層３０の取り除かれた部分がさらす層４０は、ベルト上に検知可能なマークとなる。例では、マーク５０は数の“２０”を示す。もちろん、いかなるシンボル、テキスト、他の望ましい模様は、ベルトすなわち製品に付されるマークの役割を果たすために、層３０にエッチングされても良い。
【００２０】
層４０がない場合、ベルトをマーキングするために層３０がエッチングされても良い。本実施形態では、ベルト本体１０は、層３０に対して区別するために、特別な光学的な外観やコントラストを提供する。層３０の光学的な外観は、ベルト本体１０の光学的な外観からそれを区別するために、適切に選択される。
【００２１】
他の実施形態においては、組立及び加硫前に、加硫前の層３０は、例えばエッチング、カッティング、グラインディングによって、選択された一部分が取り除かれている。層３０の切り込みは、図２に示したものと同じマークを描くが、マーク５０を作るために使用される切り込みは、レーザー光を使用して形成されない。それらは、従来知られている道具を使用して層３０に切り込まれる、面（ground）やダイ（die）であっても良い。そして、その層は、製品とともに、ここに述べる方法とは別の方法で、加硫や成型され、ベルトや製品への永久的なマーキングを実現する。
【００２２】
また他の実施形態では、ベルトとともに、複数の光学的に区別可能な層が積み重ねられ、または積層される。それぞれの層は、他の層それぞれから、際立たされ、または区別される外観を有する。上方に積層される層の選択的な一部分を取り除き、特定の下方に積層される異なる位置を露出するために、レーザー光は選択的に異なる強度および位置で操作される。この方法では、不定の外観が、ベルトや他の製品にエッチングされる。これは、異なる色、および例えば部品や目録のベルトについての異なる情報を表示するために露出された層を、含んでも良い。それはまた、異なる色や模様を使用し、ベルトや製品上に、可視的なアピール効果を作り出すために使用される。図２は、例として２層描くが、限定されるわけではなく、記述した効果を達成するために、いかなる数の層が積み重ねられても良い。
【００２３】
また他の実施形態においては、複数の光学的に区別可能な層は、先に述べたように、製品上に、ともに積み重ねられ、または積層される。それぞれの層は、他のそれぞれの層から区別するために異なる外観を有する。本実施形態においては、ナイフ、グラインダー、切断道具、またはダイカッターが、特定の層の異なる一部分を選択的に露出するように、上方または下方に積層される一部分を取り除くために使用される。この方法によれば、不定の外観が、ベルトや製品上において、認識されるであろう。ここで述べるように、これは異なる色、およびベルトや製品について異なる情報を図解するために露出される層を含む。それは、異なる色を使って、製品やベルト上に光学的なアピール効果を作り出すためにも、使用されるであろう。図２は、例として２層描くが、記述した効果を達成するために、いかなる数の層が積み重ねられても良い。
【００２４】
他の実施形態では、異なる色を有する独立した領域が、層３０および層４０それぞれに形成されても良い。それぞれの層における異なる色の領域は、層３０または層４０の表面を横切って互いに、側方に隣接するように配置されても良い。これらは、所望の可視的な効果を達成するために要求されるいかなる形状を有していても良い。
【００２５】
例えば、図３に示すように、領域３１、４２は青、一方、領域３２，４１は緑などの色であっても良く、それぞれの領域は互いに隣接し、ベルトの長手に平行に配置される。それぞれの領域は、鉛直方向および側方向のいずれにも隣接する他の全ての領域から光学的に区別可能である。そして、それぞれの領域は、それぞれ隣接する領域の異なる部分を露出するために、エッチングされる。これは、また、ベルトや製品上に独創的なマーキングをマークするための別の手段を提供する。
【００２６】
図３は、複数のリブがある形状の断面図である。形状は、ベルトの長手軸に沿って延びるリブ１１０を備える。層３０および層４０が有する領域３１、３２、４１、４２は、それぞれ、光学的な異なる外観を備え、それらが描かれる。
【００２７】
ここでは、発明の一態様が述べられたが、一部の構成及び連関における変形が、本発明の精神あるいは範囲から逸脱することなく、当業者によって作られるであろうことは明らかである。
【図面の簡単な説明】
【００２８】
【図１】光学的に区別可能なポリエチレン層を有するベルトの横断斜視図である。
【図２】レーザー光によってエッチングされる光学的に区別可能な層を有するベルトの斜視図である。
【図３】複数のリブがある形状の断面図である。
【図１】
2005529301.tif 000003
【図２】
2005529301.tif 000004
【図３】
2005529301.tif 000005
【国際調査報告】
2005529301.tif 000006
2005529301.tif 000007
2005529301.tif 000008